(57)【要約】【課題】耐震壁の軽量化を図りながら、耐震強度を効率良く高め易い耐震壁構造を提供する。【解決手段】上側床構造体２と、その上側床構造体を支持する一対の柱構造体３と、一対の柱構造体を立設してある下側床構造体５とで囲まれる空間Ｓに、複数の円筒体６を、それらの筒軸芯を一対の柱構造体どうしが互いに対向する方向に略直交する方向に沿わせて、かつ、筒径方向に互いに連結する状態で上下左右に並べて設置して、耐震壁Ｂを一体に構築してある。【選択図】図１
2008101347.tif 000002
【特許請求の範囲】
【請求項１】
上側床構造体と、その上側床構造体を支持する一対の柱構造体と、前記一対の柱構造体を立設してある下側床構造体とで囲まれる空間に、複数の円筒体を、それらの筒軸芯を前記一対の柱構造体どうしが互いに対向する方向に略直交する方向に沿わせて、かつ、筒径方向に互いに連結する状態で上下左右に並べて設置して、耐震壁を一体に構築してある耐震壁構造。
【請求項２】
前記複数の円筒体のうちの一部の円筒体の内側に充填材を充填してある請求項１記載の耐震壁構造。
【請求項３】
前記空間を囲む角隅部の夫々に対向させて設置してある円筒体の内側に、前記充填材を充填してある請求項２記載の耐震壁構造。
【請求項４】
前記円筒体を鋼材で形成してある請求項１〜３のいずれか１項記載の耐震壁構造。
【請求項５】
前記複数の円筒体のうちの一部の円筒体の内側を円形板材で塞いである請求項１〜３のいずれか１項記載の耐震壁構造。
【請求項６】
前記円形板材を鋼材で形成してある請求項５記載の耐震壁構造。
【発明の詳細な説明】
【技術分野】
【０００１】
本発明は、上側床構造体と、その上側床構造体を支持する一対の柱構造体と、前記一対の柱構造体を立設してある下側床構造体とで囲まれる空間に、耐震壁を一体に構築してある耐震壁構造に関する。
【背景技術】
【０００２】
上記耐震壁構造は、上側床構造体と一対の柱構造体と下側床構造体とからなる側面視で略矩形の枠状架構の地震発生に伴う変形を抑制して耐震強度を高めるために、枠状架構の内周側空間に耐震壁を一体に構築してある。
尚、上記耐震壁構造は、枠状架構の暴風時の風荷重などによる変形を抑制する上でも有効である。
従来の上記耐震壁構造では、耐震壁の軽量化を図りながら、施工性の向上も図れるように、枠状架構の内周側空間に、複数の矩形筒状の鋼製角筒体を、それらの筒軸芯を一対の柱構造体どうしが互いに対向する方向に略直交する方向に沿わせて、かつ、筒側面どうしを互いに連結する状態で上下左右に並べて設置して、耐震壁を一体に構築してある（例えば、特許文献１参照）。
【０００３】
【特許文献１】特開平１１−７１９０７号公報
【発明の開示】
【発明が解決しようとする課題】
【０００４】
しかしながら、矩形筒状の角筒体は横断面形状が菱形状に変形し易いことに加えて、それらの角筒体の筒壁を形成している四つの平板部分のうちの、筒側面を形成する一対の平板部分を上側及び下側の床構造体の床面に略沿わせ、筒側面を形成する残り一対の平板部分を左右の柱構造体の柱軸芯に略沿わせた姿勢で、角筒体の複数を上下左右に並べて設置するとともに、隣り合う角筒体の互いに対向する平板部分どうしを連結して、枠状架構の内周側空間に耐震壁を一体に構築してあるので、略矩形の枠状架構を菱形状に変形させるような外力が作用すると、その枠状架構の変形に追従するように各角筒体もその横断面形状が菱形状に変形し易く、角筒体の変形を抑制するためには、筒壁の厚さが厚くて重量が大きい角筒体を設置する必要があるので、耐震壁の軽量化を図りながら、耐震強度を効率良く高め難い欠点がある。
本発明は上記実情に鑑みてなされたものであって、耐震壁の軽量化を図りながら、耐震強度を効率良く高め易い耐震壁構造を提供することを目的とする。
【課題を解決するための手段】
【０００５】
本発明の第１特徴構成は、上側床構造体と、その上側床構造体を支持する一対の柱構造体と、前記一対の柱構造体を立設してある下側床構造体とで囲まれる空間に、複数の円筒体を、それらの筒軸芯を前記一対の柱構造体どうしが互いに対向する方向に略直交する方向に沿わせて、かつ、筒径方向に互いに連結する状態で上下左右に並べて設置して、耐震壁を一体に構築してある点にある。
【０００６】
〔作用及び効果〕
上側床構造体と、その上側床構造体を支持する一対の柱構造体と、一対の柱構造体を立設してある下側床構造体とで囲まれる空間に、複数の円筒体を、それらの筒軸芯を一対の柱構造体どうしが互いに対向する方向に略直交する方向に沿わせて、かつ、筒径方向に互いに連結する状態で上下左右に並べて設置して、耐震壁を一体に構築してあるので、上側床構造体と一対の柱構造体と下側床構造体とからなる側面視で略矩形の枠状架構を菱形状に変形させるような外力が地震発生時に作用しても、筒径方向に互いに連結する状態で上下左右に並べて設置してある各円筒体どうしが、隣り合う円筒体の変形を牽制し合って、各円筒体が変形し難い。
従って、略矩形の枠状架構を菱形状に変形させるような外力が作用しても、筒壁の厚さが厚くて重量が大きい角筒体を特に設置することなく、その枠状架構の変形を抑制し易いので、耐震壁の軽量化を図りながら、耐震強度を効率良く高め易い。
また、全部又は一部の円筒体の内側を耐震壁の前後に亘って中空にしておけば、その円筒体を通して、耐震壁の前後に亘る採光や通風を図ることもできる。
【０００７】
本発明の第２特徴構成は、前記複数の円筒体のうちの一部の円筒体の内側に充填材を充填してある点にある。
【０００８】
〔作用及び効果〕
複数の円筒体のうちの一部の円筒体の内側に充填材を充填してあるので、複数の円筒体のうちの一部の円筒体の耐圧強度を高めることができる。
【０００９】
本発明の第３特徴構成は、前記空間を囲む角隅部の夫々に対向させて設置してある円筒体の内側に、前記充填材を充填してある点にある。
【００１０】
〔作用及び効果〕
空間を囲む角隅部の夫々に対向させて設置してある円筒体、つまり、略矩形の枠状架構を菱形状に変形させるような外力が作用した場合に、圧縮力が集中し易い円筒体の内側に、充填材を充填してあるので、耐震強度を一層効率良く高め易い。
【００１１】
本発明の第４特徴構成は、前記円筒体を鋼材で形成してある点にある。
【００１２】
〔作用及び効果〕
円筒体を入手し易い鋼材で形成してあるので、安価に構築できる。
【００１３】
本発明の第５特徴構成は、前記複数の円筒体のうちの一部の円筒体の内側を円形板材で塞いである点にある。
【００１４】
〔作用及び効果〕
複数の円筒体のうちの一部の円筒体の内側を円形板材で塞いであるので、複数の円筒体のうちの一部の円筒体の耐圧強度を高めるにあたって、その円筒体の内側に充填材を充填する場合に比べて軽量化を図りながら、耐圧強度を高めることができる。
【００１５】
本発明の第６特徴構成は、前記円形板材を鋼材で形成してある点にある。
【００１６】
〔作用及び効果〕
円形板材を入手し易い鋼材で形成してあるので、安価に構築できる。
【発明を実施するための最良の形態】
【００１７】
以下に本発明の実施の形態を図面に基づいて説明する。
〔第１実施形態〕
図１は本発明による耐震壁構造を示し、鉄筋コンクリート造りの既設建物において、上側床構造体としての上層階の床スラブ１を支持する梁２と、その梁２を支持する一対の柱構造体としての柱３と、その一対の柱３を立設してある下側床構造体としての梁４で支持されている床スラブ５とで、側面視で略矩形の枠状架構Ａを構成してあり、この枠状架構Ａで囲まれる内周側空間Ｓに、同一寸法形状の複数の鋼製円筒体６を、それらの筒軸芯を一対の柱３どうしが互いに対向する方向に略直交する方向（耐震壁の厚み方向）に沿わせて、かつ、筒径方向に互いに連結する状態で筒端面を揃えて上下左右に並べて設置して、耐震壁Ｂを一体に構築してある。
【００１８】
前記複数の円筒体６は、略水平な床面７に沿う方向で、左右に接触状態で隣り合う複数の円筒体６からなる円筒体列８の複数を、上段側の円筒体列８の円筒体６が、下段側の円筒体列８の円筒体６間に入り込む千鳥状に配置されるように、内周側空間Ｓに上下に配置してある。
【００１９】
前記複数の円筒体６の左右方向や上下方向で隣り合うものどうしは、図３に示すように、筒軸芯方向に沿う一連のスリット状開口９を筒壁に形成して、その開口９の内側を隣り合う円筒体６の周面に溶接（ミゾ溶接）して筒径方向に互いに一体に連結してあり、枠状架構Ａの内周側に接する円筒体６の夫々は、枠状架構Ａに設けてあるアンカーボルト１０で一体に固定してある。
尚、図中の１１は、ミゾ溶接部分を示している。
【００２０】
そして、複数の円筒体６のうちの、内周側空間Ｓを囲む角隅部１２、つまり、梁２と柱３とが交差する上部角隅部１２ａと、床スラブ５と柱３とが交差する下部角隅部１２ｂとの夫々に対向させて設置してある円筒体６ａの内側に、コンクリートなどの充填材１３を充填してあるとともに、梁２側と床スラブ５側とに亘って斜め上下方向にジグザグ状（筋交い状）に隣り合う円筒体６ｂ夫々の内側にもコンクリートなどの充填材１３を充填してある。
尚、複数の円筒体６の左右方向や上下方向で隣り合うものどうしを溶接で一体に連結するにあたって、スリット状開口９を筒軸芯方向に沿って断続的に筒壁に形成して隣り合う円筒体６の周面に溶接（ミゾ溶接）しても、複数の円形貫通孔を筒軸芯方向に沿って間隔を隔てて筒壁に形成して隣り合う円筒体６の周面に溶接（セン溶接）しても、隣り合う円筒体６の外周面側どうしを隅肉溶接しても良い。
【００２１】
〔第２実施形態〕
第１実施形態で示した充填材１３を充填してある円筒体６ａ，６ｂに代えて、図４に示すように、鋼製の円形板材１４で内側を塞いである円筒体６ａ，６ｂを設けてあっても良い。
【００２２】
前記円形板材１４は、円筒体６ａ，６ｂの長手方向略中央位置に、その周縁部を円筒体６ａ，６ｂの内周面に全周に亘って溶接で一体に固定してある。
その他の構成は第１実施形態と同様である。
【００２３】
〔その他の実施形態〕
１．本発明による耐震壁構造は、枠状架構の内側に接する円筒体を、エポキシ樹脂などの接着剤で、その枠状架構に接着固定してあっても良い。
２．本発明による耐震壁構造は、円筒体どうしの間や、枠状架構と円筒体との間を、耐震壁の前後面に亘って中空に形成してあっても、コンクリートなどの充填材を充填してあっても、鋼製板材などで塞いであっても良い。
３．本発明による耐震壁構造は、全部の円筒体の内側を、コンクリートなどの充填材や鋼製板材などで塞いであっても良い。
４．本発明による耐震壁構造は、円筒体どうしをボルトで一体に連結してあっても、エポキシ樹脂などの接着剤で互いに一体に連結してあっても良い。
５．本発明による耐震壁構造は、外径が異なる複数の円筒体を上下左右に並べて設置して耐震壁を構築してあっても良い。
６．本発明による耐震壁構造は、長さが異なる複数の円筒体を上下左右に並べて設置して耐震壁を構築してあっても良い。
７．本発明による耐震壁構造は、複数の円筒体を水平方向と鉛直方向とに隣り合うように上下左右に並べて設置してあっても良い。
８．本発明による耐震壁構造は、複数の円筒体を予め互いに一体に連結してから枠状架構の内側空間に設置してあっても、複数の円筒体を枠状架構の内側空間に各別に設置してから互いに一体に連結してあっても良い。
９．本発明による耐震壁構造は、梁で支持されている床スラブのうちの梁から水平方向に離れた部位やフラット床スラブからなる上側床構造体の下側に耐震壁を設けてあっても良い。
１０．本発明による耐震壁構造は、梁で支持されている床スラブのうちの梁から水平方向に離れた部位やフラット床スラブからなる下側床構造体の上側に耐震壁を設けてあっても良い。
１１．本発明による耐震壁構造は、上側床構造体を支持する外壁などの壁状の柱構造部材で囲まれる空間に耐震壁を設けてあっても良い。
１２．本発明による耐震壁構造を設ける建物は、鉄筋コンクリート造りであっても、鉄骨鉄筋コンクリート造りであっても、鉄骨造りであっても良く、また、平屋であっても、複数階層を備えていても良い。
【図面の簡単な説明】
【００２４】
【図１】耐震壁構造の側面図
【図２】図１のII−II線断面矢視図
【図３】（イ）要部の斜視図、（ロ）要部の断面図
【図４】第２実施形態を示す要部の水平断面図
【符号の説明】
【００２５】
２  上側床構造体
３  柱構造体
５  下側床構造体
６  円筒体
６ａ  一部の円筒体
６ｂ  一部の円筒体
１２  角隅部
１３  充填材
１４  円形板材
Ｂ  耐震壁
Ｓ  空間
【図１】
2008101347.tif 000003
【図２】
2008101347.tif 000004
【図３】
2008101347.tif 000005
【図４】
2008101347.tif 000006